(57)【要約】      （修正有）【課題】第１に、人手を介することなく自動的かつ安定的に、必要な一定量の餌を、繰り返し供給できると共に、第２に、しかもこれが簡単容易に実現される、ペット用の自動給餌器を提供する。【解決手段】この自動給餌器は、餌を投入、ストック可能な収納部１と、収納部１の餌落とし出口板２５から餌が落下して、餌を補充する容器部２、容器部２から回転翼１３に蓄えられた餌を、回転翼１３により出口１４に押し出す開閉手段３、回転翼１３を回転させるモータ・ギヤユニット１２、モータ・ギアユニット１２を回転させる駆動用モータの電気回路部６等とを有してなる。そして餌の設定時刻は電源タイマ、設定時間は限時タイマ等の調整によって、定刻に、しかも、ペットへ自動的に適量・一定量の餌を給餌することができる。【選択図】図１
0003159707.tif 000002
【実用新案登録請求の範囲】
【請求項１】
猫、犬、その他のペット用に餌Ｂを自動的に供給する自動給餌器であって、内部に餌Ｂ
を投入し、上部にストック可能で、斜め滑り板で餌Ｂが自然落下できる収納部１と餌Ｂが出口１４から出た分を収納部１から自然落下して、底部に蓄える容器部２と餌Ｂが回転翼１３によって押し出され、開閉する開閉手段３と餌落とし出口板２５から餌Ｂが多量に落下しないように餌誘導ストッパ−９のガイド４と底部の出口の中ほどには、駆動用モ−タ２４で駆動されて餌Ｂを押し出す回転翼部５と回転翼１３の上横には、全体ケ−ス７に取り付けた木台１０の上に限時タイマ１１を取り付け、限時タイマ１１に電源を供給する限時タイマ電源、駆動用モ−タ２４に電源を供給する駆動モ−タ電源の直流電源等からなる電気回路部６との構成とするペット用自動給餌器である。
【請求項２】
請求項１に記載したペット用の自動給餌器において、餌落とし板８は、餌Ｂが落ちるよ
うに斜めに配置し、餌Ｂが減れば自動的に滑り落ちるように構成したペット用自動給餌器である。
【請求項３】
請求項１に記載したペット用の自動給餌器において、回転翼１３を回転させるモ−タ・
ギヤユニット１２は、回転翼１３の上部に取り付けられ、ギヤ比で低速で回転するように構成したペット用自動給餌器である。
【請求項４】
請求項１に記載したペット用の自動給餌器において、回転翼１３は、０．８ｍｍのアル
ミ板で、直径８０ｍｍの円盤上を８等分し、上、下２０ｍｍの突起状になるように加工し、上部のモ−タ・ギヤユニット１２と回転翼１３は、中心軸でネジで固定したペット用自動給餌器である。  
【請求項５】
請求項１に記載したペット用の自動給餌器において、出口１４の蓋は、開閉できるよう
にし、回転翼１３が回転すれば、餌Ｂが出口１４に押し出されて開き、回転翼１３が止まれば、蓋の自重で出口１４が閉じて、餌Ｂが出ないように構成したペット用自動給餌器である。
【請求項６】
請求項１に記載したペット用の自動給餌器において、電気回路部６が、入力電圧は１００Ｖ用の時刻設定用電源タイマ１８とし、時間設定用限時タイマ用コイル２１電源として、直流１２Ｖ用ＡＣ/ＤＣアダプタ１９、駆動用モ−タ２４電源として、直流３Ｖ用ＡＣ/Ｄアダプタ−２０を用いた。設定した時刻になれば限時タイマ用コイル２１に１２Ｖの電流が流れて、ｂ接点２２より３Ｖの電流が流れて駆動用モ−タ２４が回転し、停止設定した時間（秒）になれば、止まるように構成したペット用自動給餌器である。
【請求項７】
請求項１に記載したペット用の自動給餌器において、回転軸２３は直径３ｍｍの鉄製で
あり、中間点でアルミ板２０ｍｍ正方形１６の２枚をネジで締め付けて固定し、回転軸２３と回転翼１３を０．５ｍｍの針金で固定して、回転軸２３と回転翼１３の空回りを防止するように構成したペット用自動給餌器である。
【考案の詳細な説明】
【技術分野】
【０００１】
本考案は、ペット用の自動給餌器に関する。すなわち、猫、犬その他のペット用に、餌を自動的に供給する自動給餌器に関するものである。
【背景技術】
【０００２】
猫、犬、その他のペットの給餌は、従来より一般的に、飼い主等が食事の都度、皿等に餌を載せて与えることにより行われている。又、猫、犬、その他のペット用の給餌器は、従来、すべて手動式によりなっていた。すなわち、従来の給餌器は、食事の都度、飼い主等が手動操作することにより、一定量つまり一回分の餌を、ストック用の収納部から皿等の容器へと、供給する方式よりなっていた。このように従来は、給餌器を用いる否とを問わず、一手を介したペットへの給餌作業が、食事の都度必須的に行われていた。
【先行技術文献】
【特許文献】
【０００３】
【特許文献１】特開２０００−２９５９３６号広報
【考案の概要】
【考案が解決しようとする課題】
【０００４】
従来例にあっては、次の問題が指摘されていた。すなわち、例えば、飼い主が旅行や出張等でペットを置いて短期間留守にする場合や、飼い主が体の不自由な人や老人等の場合、更にはペットホテルや動物病院の場合、等々において食事の都度のペットへの給餌作業が人手を要し面倒で煩わしい、という問題が指摘されていた。
【０００５】
このような実情に鑑み上記従来の問題を解決すべく結果なされたものであって、所定のストック用の収納部１、収納部１からの餌落とし板８、餌落とし出口板２５、餌Ｂを容器部２に誘導する餌誘導ストッパ−９、餌Ｂを回転翼１３までに蓄える容器部２、餌Ｂを出口１４に押し出す回転翼１３、回転翼１３のモ−タ・ギヤユニット１２、駆動用モ−タ２４を制御する電気回路６等々を有してなることにより、第１に、自動的かつ安定的に必要な一定量の餌Ｂを、繰り返し供給できると共に、第２に、しかもこれが簡単容易に実現される、ペット用の自動給餌器を提案することを目的とする。
【課題を解決するための手段】
【０００６】
このような課題を解決する本考案の技術的手段は、次のとおりである。まず、請求項１については次のとおり。すなわち、この請求項１のペット用の自動給餌器は、猫、犬、その他のペット用に、餌Ｂを自動的に供給する給餌器に関する。そして、内部に餌Ｂを投入し、ストック可能で下部に開口を備えた収納部１、収納部１からの餌Ｂの餌落とし出口板２５、餌Ｂを容器部２に誘導する餌誘導ストッパ−９、餌Ｂを回転翼１３までに蓄える容器部２、餌Ｂを出口１４に押し出す回転翼１３、回転翼１３のモ−タ・ギアユニット１２，駆動用モ−タ２４を制御する電気回路６等を有している。餌Ｂを出口１４に押し出す回転翼部５は限時タイマにより制御されるので、一定量の餌Ｂが出てくる。
【考案の効果】
【０００７】
本考案に係わるペット用の自動給餌器は、以上考案したように、所定のストック用の収
納部１、餌Ｂを容器部２に誘導する餌誘導ストッパ−９、餌Ｂを蓄え補充する容器部２、餌を出口１４に押し出す回転翼１３、回転翼１３を駆動させる電気回路部６、等を有してなることにより、次の効果を発揮する。
【０００８】
第一に、自動的かつ安定的に、必要な一定量の餌Ｂを、繰り返し供給できる。すなわち、このペット用の自動給餌器によると、人手を介することなく自動的に、餌Ｂの形態にかかわらずスム−ズに、しかも動物相手であるにもかかわらず安定的に、一回分の食事量に必要な適量・一定量の餌Ｂをペットに対し、繰り返し供給できるようになる。そこで、ペットの食事の都度人手を介した給餌作業が行われていたこの種従来例に比し、給餌作業の面倒さや煩わしさが一挙に解消され、家庭用更には業務用として広く使用可能である。
【０００９】
もって、この自動給餌器を使用すると、例えば、飼い主が旅行や出張等で、ペットを置いて短期間留守にする場合、ペットホテル等に預ける必要がなくなる。又、飼い主が体の不自由な人や老人等の場合、給餌作業の負担が解消されるようになる。勿論、一般家庭の場合も、毎日の給餌作業の拘束から開放されるようになる。更に、ペットホテルや動物病院の場合は、給餌作業が省略化、合理化されるようになる。
【００１０】
第二に、しかもこれは簡易容易に実現される。すなわち、このペット用の自動給餌器は、所定の収納部１、容器部２、回転翼部５、電気回路部６等を、全体ケ−ス内に設けただけの簡単な構成よりなる。もって、コスト面に優れると共に故障も少なく、清掃やメインテナンスも容易で、危険性がなく安全性に優れている。このように、この種従来例に存した課題がすべて解決される等、本考案の発揮は、顕著にして大なるものがある。  
【図面の簡単な説明】
【００１１】
【図１】右側断面図
【図２】Ａ面よりのイ−イ平面図
【図３】Ａ面よりのロ−ロ平面図
【図４】餌押し出し回転翼周り詳細図
【図５】斜視図
【図６】Ａ面よりの立面図
【図７】電気回路図  Ｓは時刻設定電源タイマ、Ｔは時間設定限時タイマのコイル、Ｍは駆動用モ−タ
【図８】回転翼停止の時（取り付け用木台と限時タイマ省略）
【図９】回転翼作動の時（取り付け用木台と限時タイマ省略）
【考案を実施するための形態】
【００１２】
図１、図２、図３、図４、図５、図６、図７、図８、図９を参照しつつ、この自動給餌器の構成について説明する。この自動給餌器は、猫、犬、リス、うさぎその他の各種ペット用に、餌Ｂを自動的に供給する。代表例としては、猫に供給するものである。そして、次の収納部１、容器部２、開閉手段３、ガイド４、回転翼部５、電気回路部６、全体ケ−ス７、等を有してなる。これらの材質としては、金属製、プラスチツク製、木製、その他各種のものが、使用可能である。
【００１３】
これらについて詳述すると、まず収納部１は、図１に示したように、内部に餌Ｂを投入、ストック可能であると共に、餌落とし板８を備えている。このような収納部１について、更に詳述する。この収納部１は、いわゆる餌入れ・保管庫であり、ペットの１匹の１〜２週間分の餌Ｂを内部にストック可能な箱状をなし、自動給餌器の上部に配置されている。そして、上面に餌Ｂを投入用の開閉上蓋１５が取り付けられると共に、餌落とし板８の端に、餌落とし出口板２５が形成されている。
【００１４】
開閉手段３やガイド４および容器部２について、図１に加え図２、図３、図４、図５、図６も参照しつつ説明する。開閉手段３は、容器部２および図５、図６の出口１４を、図図３、図４の回転翼１３の始動設定時で回転することにより、餌Ｂを出口１４へ押し出すことにより開いて、停止設定時間（秒）まで出口１４から餌Ｂが流れ落ち、出口１４の蓋の自重で餌Ｂを押し下げることにより、餌Ｂが流れ落ちるのを止めるような構成となっている。ガイド４は、餌Ｂが餌誘導ストッパ−９により回転翼１３へ入り込むように作動し、餌Ｂが出口１４から流れ落ちした分量を回転翼１３に補充するものである。餌Ｂの補充は、図１、図２の収納部１の餌落とし出口板２５から餌Ｂが流れ落ち、餌誘導ストッパ−９で餌Ｂを下の方向へ誘導して落下させ、回転翼１３の周りに餌Ｂを補充する構成となっている。容器部２は回転翼の横にあって、餌Ｂが放出された分量を餌落とし出口板２５、餌誘導ストッパ−９、回転翼１３までの餌Ｂを備蓄する部分である。
【００１５】
次に、回転軸部５につて、図１に加え図３、図４も参照しつつ説明する。回転軸部５は、モ−タ・ギヤユニット１２と回転翼１３と回転軸２３から構成されている。図１のように取り付け用木台１０に、収納部１の底と回転翼１３との隙間が５ｍｍ程になるように木ネジで取り付ける。まず、モ−タ・ギヤユニット１２は模型工作として作りました。駆動用モ−タ２４は模型用１．５〜３Ｖの小型のマブチモ−タを用いました。ギヤは最も遅いギヤ比を用いることで強力なトルクが出るようにしました。次に、回転翼１３は０．８ｍｍのアルミ板を直径８０ｍｍの円盤を作り、その円盤上に等間隔で中心線を４本引き、中心から半径３０ｍｍの円周上に上下交互に２０ｍｍの突起物となるように、直角に折り曲げて作った構成となっている。そして、回転軸２３は直径３ｍｍの鉄製で、回転軸２３とモ−タ・ギヤユニット１２とはネジで取り付けられている。また、回転軸２３と回転翼１３とはネジで取り付けているが、空回りを防ぐ為に、回転軸に０．８ｍｍのアルミ板で１０ｍｍの正方形１６の２枚を回転軸に抱き合わせて小ボルトで取り付けたものと、回転翼１３とを細い針金で固定する構成となっている。
【００１６】
電気回路部６について、図１に加え図７も参照しつつ説明する。電気回路部６は、１日
２回餌Ｂを出す時刻設定用の１００Ｖ電源タイマ１８、電気回路を制御する為の直流電源１２Ｖ用１９、直流電源３Ｖ用２０としてＡＣ/ＤＣアダプタ−２個、餌Ｂを出す時間（秒）の設定として限時タイマ１１のコイル２１、限時タイマｂ接点２２からの構成となっている。時刻設定用の１００Ｖ電源タイマ１８は、朝夕２回に餌Ｂを出させるため、直流１２Ｖの限時タイマ１１のコイル２１は、限時タイマ１１のｂ接点の電流より直流３Ｖのモ−タ・ギヤユニット１２の駆動用モ−タ２４を動作させるものである。朝夕の設定時刻になれば１２Ｖ用のＡＣ/ＤＣアダプタ−１９から、限時タイマ１１のコイル２１に電流が流れると同時に、限時タイマ１１のｂ接点２２が閉じているので、直流電源３Ｖ用のＡＣ/ＤＣアダプタ−１９からモ−タ・ギヤユニット１２の駆動用モ−タ２４に電流が流れて駆動用モ−タ２４が回転する。停止設定した時間（秒）になれば、限時タイマのｂ接点２２が開くので、モ−タ・ギヤユニット１２の駆動用モ−タ２４には電流が流れないので駆動用モ−タ２４は停止するので餌Ｂは出ない。
【００１７】
全体ケ−スは、ベニヤ板を接着剤で箱状に作り、餌Ｂを入れる上蓋１５と餌Ｂの出口１
４は、開閉できるような構成となっている。全体ケ−スの内側と外側に各部品を木ネジで取り付け、針金で上から吊り下げるような構成である。
【実施例１】
【００１８】
図８は、容器部２の出口１４の蓋の自重で閉位置の状態である。収納部１の餌落とし出口板２５、餌誘導ストッパ９、回転翼１３の周りには、餌Ｂが充満しているが、出口１４は閉じているので、餌Ｂは出ない。
【実施例２】
【００１９】
図９は、始動設定時刻になれば、回転翼１３が回転し、餌Ｂを出口１４に押し出せば、出口１４が開き、餌Ｂが出る。限時タイマ１１の停止設定時間（秒）になれば、回転翼１３が止まり、出口１４の蓋の自重で出口１４を押さえるので、餌Ｂは出ない。
【産業上の利用可能性】
【００２０】
ペットを飼っているので、急いで帰らなければならないとか、旅行中は、他人に餌の配食の依頼とか、また、ペットホテルに入れるとか等の悩み事を聞きますので、この自動給餌器を用いて、餌を出す時刻と餌の量の時間さえ設定すれば、問題が解決されるので、最近は、ご多忙な方が多いので、需要は多いと思います。
【符号の説明】
【００２１】
１  収納部
２  容器部
３  開閉手段
４  ガイド
５  回転翼部
６  電気回路部
７  全体ケ−ス
８  餌落とし板
９  餌誘導ストッパ−
１０  取り付け用木台
１１  時間設定用直流１２Ｖ限時タイマ
１２  モ−タ・ギヤユニット
１３  回転翼
１４  出口および出口板
１５  上蓋
１６  回転軸締め付けアルミ板
１７  接続端子タ−ミナル
１８  時刻設定用１００Ｖ電源タイマ
１９  直流１２Ｖ用ＡＣ/ＤＣアダプタ
２０  直流３Ｖ用ＡＣ/ＤＣアダプタ
２１  限時タイマ用コイル
２２  限時タイマのｂ接点
２３  回転軸
２４  駆動用モ−タ
２５  餌落とし出口板
２６  回転軸締め付けアルミ板と回転翼との接合針金
２７  餌Ｂ
２８  ペット用の自動給餌器の吊り針金
２９  餌Ｂ出口開閉用の蝶番
【図１】
0003159707.tif 000003
【図２】
0003159707.tif 000004
【図３】
0003159707.tif 000005
【図４】
0003159707.tif 000006
【図５】
0003159707.tif 000007
【図６】
0003159707.tif 000008
【図７】
0003159707.tif 000009
【図８】
0003159707.tif 000010
【図９】
0003159707.tif 000011
【手続補正書】
【提出日】平成22年2月19日(2010.2.19)
【手続補正１】
【補正対象書類名】実用新案登録請求の範囲
【補正対象項目名】全文
【補正方法】変更
【補正の内容】
【実用新案登録請求の範囲】
【請求項１】
猫、犬、その他のペット用に餌Ｂを自動的に供給するペット用の自動給餌器であって、内部に餌Ｂを投入し、上部にストック可能で、斜め滑り板で餌Ｂが自然落下できる収納部１と餌Ｂが出口１４から出た分を収納部１から自然落下して、底部に蓄える容器部２と餌Ｂが回転翼１３によって押し出され、開閉する開閉手段３と餌落とし出口板２５から餌Ｂが多量に落下しないように餌誘導ストッパ−９のガイド４と底部の出口の中ほどには、駆動用モ−タ２４で駆動されて餌Ｂを押し出す回転翼部５と回転翼１３の上横には、全体ケ−ス７に取り付けた木台１０の上に限時タイマ１１を取り付け、限時タイマ１１に電源を供給する限時タイマ電源、駆動用モ−タ２４に電源を供給する駆動モ−タ電源の直流電源からなる電気回路部６との構成とするペット用の自動給餌器。
【請求項２】
請求項１に記載したペット用の自動給餌器において、餌落とし板８は、餌Ｂが落ちるように斜めに配置し、餌Ｂが減れば自動的に滑り落ちるように構成したペット用の自動給餌器。
【請求項３】
請求項１に記載したペット用の自動給餌器において、回転翼１３を回転させるモ−タ・ギヤユニット１２は、回転翼１３の上部に取り付けられ、ギヤ比で低速で回転するように構成したペット用の自動給餌器。
【請求項４】
請求項１に記載したペット用の自動給餌器において、回転翼１３は、０．８ｍｍのアルミ板で、直径８０ｍｍの円盤上を８等分し、上、下２０ｍｍの突起状になるように加工し
、上部のモ−タ・ギヤユニット１２と回転翼１３は、中心軸でネジで固定したペット用の自動給餌器。
【請求項５】
請求項１に記載したペット用の自動給餌器において、出口１４の蓋は、開閉できるようにし、回転翼１３が回転すれば、餌Ｂが出口１４に押し出されて開き、回転翼１３が止まれば、蓋の自重で出口１４が閉じて、餌Ｂが出ないように構成したペット用の自動給餌器
。
【請求項６】
請求項１に記載したペット用の自動給餌器において、電気回路部６が、入力電圧は１００Ｖ用の時刻設定用電源タイマ１８とし、時間設定用限時タイマ用コイル２１電源として
、直流１２Ｖ用ＡＣ/ＤＣアダプタ１９、駆動用モ−タ２４の電源として、直流３Ｖ用Ａ
Ｃ/ＤＣアダプタ２０を用い、設定した時刻になれば限時タイマ用コイル２１に１２Ｖの
電流が流れて、ｂ接点２２より３Ｖの電流が流れて駆動用モ−タ２４が回転し、停止設定した時間（秒）になれば、止まるように構成したペット用の自動給餌器。
【請求項７】
請求項１に記載したペット用の自動給餌器において、回転軸２３は直径３ｍｍの鉄製であり、中間点でアルミ板２０ｍｍの正方形１６の２枚をネジで締め付けて固定し、回転軸２３と回転翼１３を０．５ｍｍの針金で固定して、回転軸２３と回転翼１３の空回りを防止するように構成したペット用の自動給餌器。
【手続補正書】
【提出日】平成22年3月30日(2010.3.30)
【手続補正１】
【補正対象書類名】実用新案登録請求の範囲
【補正対象項目名】全文
【補正方法】変更
【補正の内容】
【実用新案登録請求の範囲】
【請求項１】
猫、犬、その他のペット用に餌Ｂを自動的に供給するペット用の自動給餌器であって、内部に餌Ｂを投入し、上部にストック可能で、斜め滑り板で餌Ｂが自然落下できる収納部１と餌Ｂが出口１４から出た分を収納部１から自然落下して、底部に蓄える容器部２と餌Ｂが回転翼１３によって押し出され、開閉する開閉手段３と餌落とし出口板２５から餌Ｂが多量に落下しないように餌誘導ストッパ−９のガイド４と底部の出口の中ほどには、駆動用モ−タ２４で駆動されて餌Ｂを押し出す回転翼部５と回転翼１３の上横には、全体ケ−ス７に取り付けた木台１０の上に限時タイマ１１を取り付け、限時タイマ１１に電源を供給する限時タイマ電源、駆動用モ−タ２４に電源を供給する駆動モ−タ電源の直流電源からなる電気回路部６との構成とするペット用の自動給餌器。
【請求項２】
請求項１に記載したペット用の自動給餌器において、餌落とし板８は、餌Ｂが落ちるように斜めに配置し、餌Ｂが減れば自動的に滑り落ちるように構成したペット用の自動給餌器。
【請求項３】
請求項１に記載したペット用の自動給餌器において、回転翼１３を回転させるモ−タ・ギヤユニット１２は、回転翼１３の上部に取り付けられ、ギヤ比で低速で回転するように構成したペット用の自動給餌器。
【請求項４】
請求項１に記載したペット用の自動給餌器において、回転翼１３は、０．８ｍｍのアルミ板で、直径８０ｍｍの円盤上を８等分し、上、下２０ｍｍの突起状になるように加工し
、上部のモ−タ・ギヤユニット１２と回転翼１３は、中心軸でネジで固定したペット用の自動給餌器。
【請求項５】
請求項１に記載したペット用の自動給餌器において、出口１４の蓋は、開閉できるようにし、回転翼１３が回転すれば、餌Ｂが出口１４に押し出されて開き、回転翼１３が止まれば、蓋の自重で出口１４が閉じて、餌Ｂが出ないように構成したペット用の自動給餌器
。
【請求項６】
請求項１に記載したペット用の自動給餌器において、電気回路部６が、入力電圧は１００Ｖ用の時刻設定用電源タイマ１８とし、時間設定用限時タイマ用コイル２１電源として
、直流１２Ｖ用ＡＣ/ＤＣアダプタ１９、駆動用モ−タ２４の電源として、直流３Ｖ用Ａ
Ｃ/ＤＣアダプタ２０を用い、設定した時刻になれば限時タイマ用コイル２１に１２Ｖの
電流が流れて、ｂ接点２２より３Ｖの電流が流れて駆動用モ−タ２４が回転し、停止設定した時間になれば、止まるように構成したペット用の自動給餌器。
【請求項７】
請求項１に記載したペット用の自動給餌器において、回転軸２３は直径３ｍｍの鉄製であり、中間点でアルミ板２０ｍｍの正方形１６の２枚をネジで締め付けて固定し、回転軸２３と回転翼１３を０．５ｍｍの針金で固定して、回転軸２３と回転翼１３の空回りを防止するように構成したペット用の自動給餌器。